(57)【要約】【課題】  空気汚染質の発生を予測して空清運転あるいは温湿度管理運転を行い、快適な室内環境を維持し得る空気調和装置を提供することを目的とする。【解決手段】  圧縮機１１、室外熱交換器１７、膨張弁１９、および室内熱交換器２７を有する冷媒回路７と、室内湿度検出器３５と、室内温度検出器３３と、外気温度検出器２３と、これら検出器で検出された検出情報を用いて冷媒回路１の運転を制御するとともに少なくとも空気汚染質を除去する空清運転モードを備えている制御部９と、を備えている空気調和装置１であって、制御部９には、月日情報を認識するカレンダ手段３７と、空気汚染質の発生時期および発生条件に関する発生情報を記憶するデータ格納手段４１と、各検出情報の内の所要の検出情報、月日情報および発生情報に基づいて空清運転モードの必要性を判断し、実施する対応判断手段４３と、が備えられている。【選択図】      図２
2007101059.tif 000002
【特許請求の範囲】
【請求項１】
冷媒を圧縮する圧縮機、室外空気と熱交換される室外熱交換器、膨張弁、および室内ファンによって送られる室内空気と熱交換される室内熱交換器を有する冷媒回路と、
室内湿度を検出する室内湿度検出手段と、
室内温度を検出する室内温度検出手段と、
室外空気温度を検出する外気温度検出手段と、
前記室内湿度検出手段、前記室内温度検出手段および前記外気温度検出手段を含む検出された検出情報を用いて前記冷媒回路の運転を制御するとともに少なくとも空気汚染質を除去する空清運転モードを備えている制御部と、を備えている空気調和装置であって、
前記制御部には、
月日情報を認識するカレンダ手段と、
空気汚染質の発生時期および発生条件に関する発生情報を記憶する記憶手段と、
前記各検出情報の内の所要の検出情報、前記月日情報および前記発生情報に基づいて空清運転モードの必要性を判断し、実施する汚染質対応判断手段と、が備えられていることを特徴とする空気調和装置。
【請求項２】
前記制御部には、前記室内湿度および／または前記室内温度を設定した範囲に収める温湿度管理運転モードが備えられ、
前記汚染質対応判断手段は、前記室内湿度および／または前記室内温度、前記月日情報ならびに前記発生情報に基づいて前記温湿度管理運転モードに対して所要の前記室内湿度および／または前記室内温度を設定することを特徴とする請求項１に記載の空気調和装置。
【請求項３】
前記制御部には、前記外気温度の各日における最高気温を積算するカウンタ手段が備えられていることを特徴とする請求項１または請求項２に記載の空気調和装置。
【請求項４】
前記制御部には、前記カウンタ手段の出力に基づいて前記発生時期を予報する予報手段が備えられていることを特徴とする請求項３に記載の空気調和装置。
【請求項５】
前記制御部には、前記室内熱交換器を通り室内に吹き出される前記室内空気の吹出方向を制御する気流方向制御手段が備えられ、
前記汚染質対応判断手段は、前記空気汚染質が多いと判断した場合に、前記気流方向制御手段に対し前記室内空気が床面に当らないような吹出方向への設定とすることを特徴とする請求項１から請求項４のいずれかに記載の空気調和装置。
【請求項６】
前記記憶手段に記憶された発生情報は、変更可能とされていることを特徴とする請求項１から請求項５のいずれかに記載の空気調和装置。
【発明の詳細な説明】
【技術分野】
【０００１】
本発明は、空気調和装置に関するものである。
【背景技術】
【０００２】
居住空間である室内には、種々の空気汚染質、例えば、ダニアレルゲン、花粉アレルゲン、カビアレルゲンが浮遊している。空気調和装置では、これらの空気汚染質を捕集除去する空清機能を備えるものが広く用いられている。
しかし、これらの機能は通常手動操作となっているので、利用者が必要に応じて操作することになるが、利用者はどのようなタイミングで運転を行えばよいか判断し難いので有効に活用されていないのが実情である。
これを解消するために、例えば、浮遊粒子を埃センサによって検出し、その量に応じて空清機能を作動させるものが市場に投入されている。また、例えば、特許文献１に示されるような、室内機入口近傍の吸い込み空気の臭気を臭気センサで検知し、臭気センサの信号に応じて光触媒を用いたフィルタ等に蛍光ランプからの紫外線領域を含む光を照射して消臭するものが提案されている。
【０００３】
【特許文献１】特開２００２−２７７０１４号公報
【発明の開示】
【発明が解決しようとする課題】
【０００４】
しかしながら、埃センサあるいは臭気センサ（特許文献１）によって埃あるいは臭気を検出して空清するものでは、埃あるいは臭気が一定量以上にならないと空清機能が作動しないので、それまでは対応できないという問題があった。
また、この一定量を小さく設定すると、ハンチングや誤動作といった不具合が発生する問題があった。
【０００５】
本発明は、上記問題点に鑑み、空気汚染質の発生を予測して空清運転あるいは温湿度管理運転を行い、快適な室内環境を維持し得る空気調和装置を提供することを目的とする。
【課題を解決するための手段】
【０００６】
上記課題を解決するために、本発明は以下の手段を採用する。
すなわち、本発明にかかる空気調和装置は、冷媒を圧縮する圧縮機、室外空気と熱交換される室外熱交換器、膨張弁、および室内ファンによって送られる室内空気と熱交換される室内熱交換器を有する冷媒回路と、室内湿度を検出する室内湿度検出手段と、室内温度を検出する室内温度検出手段と、室外空気温度を検出する外気温度検出手段と、前記室内湿度検出手段、前記室内温度検出手段および前記外気温度検出手段を含む検出された検出情報を用いて前記冷媒回路の運転を制御するとともに少なくとも空気汚染質を除去する空清運転モードを備えている制御部と、を備えている空気調和装置であって、前記制御部には、月日情報を認識するカレンダ手段と、空気汚染質の発生時期および発生条件に関する発生情報を記憶する記憶手段と、前記各検出情報の内の所要の検出情報、前記月日情報および前記発生情報に基づいて空清運転モードの必要性を判断し、実施する汚染質対応判断手段と、が備えられていることを特徴とする。
【０００７】
本発明によれば、制御部に備えられた汚染質対応判断手段は、記憶手段に記憶された空気汚染質の発生時期および発生条件に関する発生情報と、カレンダ手段が認識する月日情報とを参照して、室内温度、室内湿度あるいは外気温度を見て、空気汚染質の発生を予測して空清運転モードを実施するので、空気汚染質の発生段階で空気汚染質を除去する空清運転を行うことができる。
このように、空気汚染質の発生段階において空清運転を行えるので、空気汚染質が室内に存在することをほとんど防止することができ、快適な室内環境を維持することができる。
なお、空気汚染質としては、ダニアレルゲン、花粉アレルゲン、カビ等の発生時期が月日で大きく変動するものに適用するのが好適である。
【０００８】
また、本発明にかかる空気調和装置は、前記制御部には、前記室内湿度および／または前記室内温度を設定した範囲に収める温湿度管理運転モードが備えられ、記汚染質対応判断手段は、前記室内湿度および／または前記室内温度、前記月日情報ならびに前記発生情報に基づいて前記温湿度管理運転モードに対して所要の前記室内湿度および／または前記室内温度を設定することを特徴とする。
【０００９】
本発明によれば、制御部に備えられた汚染質対応判断手段は、記憶手段に記憶された空気汚染質の発生時期および発生条件に関する発生情報と、カレンダ手段が認識する月日情報とを参照して、室内温度および／または室内湿度を見て、温湿度管理運転モードに対して所要の室内湿度および／または室内温度を設定することができる。
このように、室内湿度および／または室内温度を設定した運転が行えるので、例えば、ダニ、カビ等のアレルゲン源の発生が温度あるいは湿度に大きく影響される空気汚染質の発生を抑制することができる。
したがって、発生した空気汚染質の除去に加えて、その発生自体も抑制できるので、一層快適な室内環境を維持することができる。
【００１０】
また、本発明にかかる空気調和装置は、前記制御部には、前記外気温度の各日における最高気温を積算するカウンタ手段が備えられていることを特徴とする。
【００１１】
このように、外気温度の各日における最高気温を積算するカウンタ手段が備えられているので、汚染質対応判断手段は室内温度、室内湿度あるいは外気温度以外にこの積算された情報を利用することができる。
このため、空気汚染質の発生条件を多様化することができるので、空気汚染質に対する対応を肌理細かく行なうことができる。
例えば、花粉の飛散は元旦からの各日における最高気温の積算値が３００℃を超えた後で所定の飛散条件となった時に飛散すると言われており、これに対応した対処を行なうことができる。
これは、年によって寒暖の差があった場合に、月日のみの情報で行なうのに比べて花粉の発生を一層正確に把握することができるので、空清運転を一層効果的に行うことができる。
【００１２】
また、本発明にかかる空気調和装置は、前記制御部には、前記カウンタ手段の出力に基づいて前記発生時期を予報する予報手段が備えられていることを特徴とする。
【００１３】
このように、カウンタ手段の出力に基づいて発生時期を予報する予報手段が備えられているので、例えば花粉の飛散を予報することができる。
特に、最高気温の積算値が意味を持つ花粉では、大量発生する２〜３日前に予報手段によって予報したり、例年との時期のずれを情報として提供することもできる。
【００１４】
また、本発明にかかる空気調和装置は、前記制御部には、前記室内熱交換器を通り室内に吹き出される前記室内空気の吹出方向を制御する気流方向制御手段が備えられ、前記汚染質対応判断手段は、前記空気汚染質が多いと判断した場合に、前記気流方向制御手段に対し前記室内空気が床面に当らないような吹出方向への設定とすることを特徴とする。
【００１５】
このように、汚染質対応判断手段は、空気汚染質が多いと判断した場合に、気流方向制御手段に対し室内空気が床面に当らないような吹出方向への設定とするので、空気汚染質が、例えば、フローリング等の床面に堆積していたとしてもそれらが空気調和装置の吹出し空気によって舞い上がるのを防止することができる。
【００１６】
また、本発明にかかる空気調和装置では、前記記憶手段に記憶された発生情報は、変更可能とされていることを特徴とする。
【００１７】
このように、記憶手段に記憶された発生情報は、変更可能とされているので、例えば、花粉症患者の抗体に合わせた発生情報とする等、必要に応じて個別に対応することができる。
【発明の効果】
【００１８】
本発明によれば、空気汚染質の発生段階において空清運転を行えるので、空気汚染質が室内に存在することをほとんど防止することができ、快適な室内環境を維持することができる。
【発明を実施するための最良の形態】
【００１９】
以下、本発明の実施形態について、図１〜図８を参照して説明する。
図１は、本実施形態にかかる空気調和装置１の全体概略鋼製を示すブロック図である。
空気調和装置１には、室外に配置される室外機３と、室内に配置される室内機５と、室外機５とおよび室内機５との間で冷媒を循環させる冷媒回路７と、制御部９とが備えられている。
室外機３には、圧縮機１１と、オイルセパレータ１３と、四方弁１５と、室外熱交換器１７と、膨張弁１９と、アキュムレータ２１と備えられている。
【００２０】
圧縮機１１は、図示しない電気モータにより駆動され、室内熱交換器２７または室外熱交換器１７のいずれかから吸入される低温低圧のガス冷媒を圧縮し、高温高圧のガス冷媒として吐出する。
オイルセパレータ１３は、圧縮機１１と四方弁１５との間に配置され、圧縮機１１から吐出された冷媒中に含まれる圧縮機１１のオイルを遠心分離して、圧縮機１１に戻すために設けられている。
【００２１】
四方弁１５は、オイルセパレータ１３の下流側に配置された冷媒の流れを切り替える切り替え弁であり、冷媒が流入・流出する４つのポートＤ，Ｃ，Ｓ，Ｅが設けられている。
ポートＤは圧縮機１１の吐出側と接続され、ポートＣは室外熱交換器１７と、ポートＳは圧縮機１１の吸入側と、ポートＥは室内熱交換器２７と接続されている。
室外熱交換器１７は、冷房運転時に外気に熱を放出して高温高圧のガス冷媒を凝縮させるコンデンサとして機能し、暖房運転時に外気から熱を奪い低温低圧の液冷媒を蒸発させるエバポレータとして機能する。
【００２２】
室外熱交換器１７の近くに外気温度を測定する外気温度検出器（外気温度検出手段）２３と、外気湿度を測定する外気湿度検出器２５が設けられている。
アキュムレータ２１は、気液分離機能を有し圧縮機１１にガス冷媒を供給するとともに冷媒の余剰分を一時的に貯蔵して冷媒の流量を調整する機能を有する。
膨張弁１９は、室外熱交換器１７からの低温高圧の液冷媒を絞って低温低圧の液冷媒とし、室内熱交換器２７へ供給する。
【００２３】
室内機５には、室内熱交換器２７と、室内ファン２９と、アレルゲン不活性化フィルタ３１とが備えられている。
室内熱交換器２７は、冷房運転時には室内空気から熱を奪い、低温低圧の液冷媒を蒸発させるエバポレータとして機能し、暖房運転時には室内空気に熱を放出し、高温高圧のガス冷媒を凝縮させるコンデンサとして機能するものである。
室内ファン２９は、室内熱交換器２７の背後に配置されたクロスフローファンであり、室内熱交換器２７を経由して室内空気を吸入し、図示しない吹出口から室内に吹出す機能を有する。
この吹出口には吹き出される室内空気の吹出し方向を調整するルーバが備えられている。（図示省略）
【００２４】
アレルゲン不活性化フィルタ３１は、室内熱交換器２７の前面（室内側）に設置されている。アレルゲン不活性化フィルタ３１は、たんぱく質を変性あるいは分解できるアレルゲン不活性化酵素を担持させたフィルタであり、アレルゲンを捕集するとともにそれを変性あるいは分解する機能を有している。
室内熱交換器２１の近くには、吸込まれる室内空気の温度を測定する室内温度検出器（室内温度検出手段）３３と、室内空気の湿度を測定する室内湿度検出器（室内湿度検出手段）３５と、が設けられている。
【００２５】
冷媒回路７は、室外機３の圧縮機１１、オイルパレータ１３、四方弁１５、室外熱交換器１７、膨張弁１９およびアキュムレータ２１ならびに室内機５の室内熱交換器２７と、を接続し、これらの間で冷媒を循環させる機能を有している。
【００２６】
制御部９には、カレンダ手段３７と、カウンタ手段３９と、データ格納手段（記憶手段）４１と、対応判断手段（汚染質対応判断手段）４３と、運転制御手段４５と、が備えられている。
カレンダ手段３７は、月日情報を認識する、すなわち、現時点が何月何日であるかを特定する機能を有している。
カウンタ手段３９は、対応判断手段４３からの指示によって、カレンダ手段３７が特定の日を認識した後、室外温度検出器２３からの外気温度情報を受けて各日毎の最高気温を積算するカウンタである。
【００２７】
データ格納手段４１は、ダニ、花粉およびカビ（空気汚染質）についての発生時期、発生条件等の発生情報を格納するメモリである。
例えば、表１に示すような情報を格納している。
【表１】
2007101059.tif 000003
表１の内容は例示であり、実際に即した変更は適宜行なわれるものである。
【００２８】
対応判断手段４３は、例えば、表２に示すように５種類の対応モードを備えており、カレンダ手段３７からの月日情報、外気温度検出器２３からの外気温度、室内温度検出器３３からの室内温度、室内湿度検出器３５からの室内湿度、外気湿度検出器２５からの外気湿度およびデータ格納手段４１からの発生情報を受けて、対応を判断して、運転制御手段４５に対して指示する機能を有している。
【００２９】
【表２】
2007101059.tif 000004
表２は、表１に示される発生情報から各モードにおいて対応を要する時期（○を付した月）を整理したものである。
【００３０】
運転制御手段４５は、空調装置１の運転を制御するものである。その中に、空清運転を行う空清運転モードおよび温湿度管理運転を行う温湿度管理運転モードが備えられている。
空清運転モードは、圧縮機１１を停止し、室内機５の室内ファン２９を運転するものである。
温湿度管理運転モードは、室内温度および／または室内湿度を設定し、室内温度および／または室内湿度がその設定値になるように運転するものである。
また、運転制御手段４５は、図示しないルーバの動作を制御する機能を備えているので、本発明の気流方向制御手段として機能するものである。
【００３１】
以上説明した本実施形態にかかる空気調和装置１について、室内を冷暖房するそれぞれの運転時の作用について説明する。
最初に、図１に基づいて暖房運転時について説明する。
【００３２】
暖房運転が選択されると、制御部９の運転制御手段４５によって四方弁１５が切り替えられて、ポートＤ／Ｅ間およびポートＣ／Ｓ間が連通され、圧縮機１１の吐出側と室内熱交換器２７とが接続される。
【００３３】
まず、圧縮機１１から吐出された高温高圧のガス冷媒は、オイルセパレータ１３に流入して、ガス冷媒中に含まれるオイルが分離される。
オイルが分離されたガス冷媒は、四方弁１５を通って室内熱交換器２７に流入する。ガス冷媒は室内熱交換器２７において室内空気に熱を放出して凝縮・液化される。室内空気はガス冷媒から熱を吸収して暖められる。
液化した冷媒は、膨張弁１９を通って室外熱交換器１７に流入する。
【００３４】
室外熱交換器１７に流入する冷媒は、膨張弁１９を通過する過程で減圧され、低温低圧の気液二相冷媒となる。室外熱交換器１７において、低温低圧の気液二相冷媒は外気などから熱を奪い、蒸発・気化してガス冷媒となり、四方弁１５のポートＣからポートＳを経てアキュムレータ２１に流入する。アキュムレータ２１において気液分離されガス冷媒のみが流出される。流出したガス冷媒は圧縮機１１の吸入口に吸入され、圧縮機１１により圧縮され高温高圧のガス冷媒となり、再びオイルセパレータ１３に向けて吐出される。
以降、同様の過程が繰り返され、暖房運転が継続して行われる。
【００３５】
次に、冷房運転時における冷媒の流れを説明する。
冷房運転が選択されると、四方弁１５のポートＤ／Ｃ間およびポートＥ／Ｓ間が連通され、圧縮機１１の吐出側と室外熱交換器１７とが接続される。
まず、圧縮機１１から吐出された高温高圧のガス冷媒は、オイルセパレータ１３によりオイルが分離され、四方弁１５を通過して室外熱交換器１７に流入する。
室外熱交換器１７において、ガス冷媒は熱を放出して凝縮・液化して液冷媒となる。
室外熱交換器１７から流出した液冷媒は、膨張弁１９を通って室内熱交換器２７に流入する。
【００３６】
室内熱交換器９に流入する冷媒は、膨張弁１９を通過する過程で減圧され、低温低圧の気液二相冷媒となる。室内熱交換器２７において、低温低圧の気液二相冷媒は、室内空気から熱を奪い、蒸発・気化してガス冷媒となる。
室内熱交換器９において蒸発したガス冷媒は、四方弁１５のポートＥからポートＳを経て圧縮機１１の吸入口に流入する。
以降、同様の過程が繰り返され、冷房運転が継続して行われる。
【００３７】
次に、本実施形態にかかる空気調和装置１の各アレルゲンに対する対応動作について説明する。
最初にダニアレルゲンに対する対応動作について図３〜図５に基づいて説明する。
図３は、ダニ成長抑制モードにおける対応判断手段４３の判断および処理を示すフロー図である。
室温で越冬した若虫は、４月から５月にかけて脱皮し始め、その増殖は湿度に大きく影響される。代表的なコナヒョウヒダニの増殖開始湿度は４７〜５０％ＲＨであり、ヤケヒョウヒダニの増殖開始湿度は５５〜６０％ＲＨである。
対応判断手段４３は、これらの発生情報をデータ格納手段４１から得て、それに基づいて次のように処理する。
対応判断手段４３は、カレンダ手段３７からの月日情報を得て、その日が４月または５月であるかを判断する（Ｓ１）。
【００３８】
その日が４月または５月でない場合（ＮＯ）には、判断を終了する。
その日が４月または５月である場合（ＹＥＳ）には、続いて室内湿度検出器２５で検出された室内湿度を得て、室内湿度が所定値、例えば、４７％ＲＨを超えているかを判断する（Ｓ２）。
室内湿度が所定値を超えていない場合（ＮＯ）には、判断を終了する。
室内湿度が所定値を超えている場合（ＹＥＳ）には、対応判断手段４３はダニが発生する可能性があると判断し、運転制御手段４５に対して設定湿度を所定値以下にするように指令する。（Ｓ３）
運転制御手段４５は、この指令に基づいて室内湿度が所定値以下となるように除湿運転を行うことになる。
このように、ダニが増殖しやすい時期（４月または５月）に増殖しにくい湿度環境とすることができるので、ダニの増殖を抑制することができる。
【００３９】
図４は、ダニアレルゲン除去モードにおける対応判断手段４３の判断および処理を示すフロー図である。
ダニアレルゲンは、８月から１０月にかけて発生する。
対応判断手段４３は、これらの発生情報をデータ格納手段４１から得て、それに基づいて次のように処理する。
対応判断手段４３は、カレンダ手段３７からの月日情報を得て、その日が８月〜１０月であるかを判断する（Ｓ１１）。
その日が８月〜１０月でない場合（ＮＯ）には、判断を終了する。
その日が８月〜１０月である場合（ＹＥＳ）には、室内にダニアレルゲンが飛散する可能性があると判断し、運転制御手段４５に対して所定時間空清運転を行なうように指令する（Ｓ１２）。
運転制御手段４５は、この指令に基づいて空清運転を行うことになる。
なお、ダニアレルゲンは、９月に最大飛散量となるので、９月か否かを判断して、９月であれば空清運転の風量を増加させるようにしてもよい。
【００４０】
図５は、空気調和装置１を運転することによるダニアレルゲンの除去効果を示すものである。
横軸にベッドメイキング後の空気調和装置１の運転時間を、縦軸に抗原濃度を示している。
実験は、１１月と１月とで行い、それぞれ通常の暖房運転と空清運転とを行なっている。ダニアレルゲンの飛散量は、１１月が１月に比べて十数倍となっており、ダニアレルゲンの飛散が月によって大きく変動することを示している。
通常の暖房運転においても、室内空気はアレルゲン不活性化フィルタ３１を通過するので、ダニアレルゲンの除去を行なっているが、空清運転を行った方が、ダニアレルゲンの除去効果は数倍大きくなっており、空清運転の除去効果が実証されている。
このように、ダニアレルゲンが飛散し易い時期に空清運転を行うので、飛散したダニアレルゲンを除去することができ、快適な室内環境を維持することができる。
【００４１】
次に花粉に対する対応動作について図６に基づいて説明する。
図６は、花粉除去モードにおける対応判断手段４３の判断および処理を示すフロー図である。
花粉は、元旦からの各日の日中最高気温の積算が３００℃を超えた時点（およそ２月）から５月末まで飛散する。この期間で、外気温度２０℃以上が２日続いた翌日，または雨上がり（外気湿度９０％以上）の翌日によく飛散すると言われている。
対応判断手段４３は、これらの発生情報をデータ格納手段４１から得て、それに基づいて次のように処理する。
したがって、まず、対応判断手段４３は、カレンダ手段３７からの月日情報によってその日が元旦か否かを判断する（Ｓ２１）。
【００４２】
その日が元旦であれば、対応判断手段４３はカウンタ手段３９に対して各日の外気温度の最高値を積算するように指示し、カウンタ手段３９は外気温度検出器２３の検出値を得て各日の外気温度の最高値を積算する（Ｓ２２）。
対応判断手段４３は、カウンタ手段３９の積算値を得て、積算値が３００℃を超えたか判断する（Ｓ２３）。
積算値が３００℃を超えた場合（ＹＥＳ）には、対応判断手段４３は花粉除去モード待機状態とする（Ｓ２４）。
【００４３】
対応判断手段４３は、この花粉除去モード待機状態において、外気温度検出器２３および外気湿度検出器２５からの検出信号をチェックし、その日は外気温度が２０℃以上の日が２日続いた翌日か、または外気湿度が９０％以上の日の翌日かを判断する（Ｓ２５）。
これらの状態でない場合（ＮＯ）には、対応判断手段４３は花粉除去モード待機状態を維持する。
これらの状態を検出した場合（ＹＥＳ）には、カレンダ手段３７からの月日情報を得て、その日が６月以降か否かを判断する。
その日が６月以降の場合（ＹＥＳ）には、操作を終了する。
その日が６月以降でない場合（ＮＯ）には、花粉が飛散する可能性があると判断し、運転制御手段４５に対して所定時間空清運転を行なうように指令する（Ｓ２７）。
運転制御手段４５は、この指令に基づいて空清運転を行うことになる。
また、この機能は花粉の飛散を予告することにも可能である。花粉が大量発生する２〜３日前にディスプレイ等（予報手段）に予報として表示したり、例年との時期のずれを情報提供することもできる。
【００４４】
なお、花粉は、種類、例えば、スギ花粉、ヒノキ花粉等によって飛散時期が異なるので、種類毎に飛散時期を分割してデータ格納手段４１に格納するようにし、それを利用者が選択できるようにしておいてもよい。
このようにすると、利用者は、例えば、家族の抗体にあわせて所要の種類の花粉の飛散時期を特定して空清運転を行わせることができる。
このため、不必要な空清運転を無くすことができるので、無駄なエネルギを省略することができる。
【００４５】
また、花粉が大量に飛散すると予測された場合には、対応判断手段４３は運転制御手段４５に対して、ルーバの動作を吹出し空気が床面に当らないようなモードとするように指令するようにしてもよい。
このようにすると、花粉が、例えば、フローリング等の床面に堆積していたとしても、それらが空気調和装置１の吹出し空気によって舞い上がるのを防止することができる。
【００４６】
次に、カビに対する対応動作について図７および図８に基づいて説明する。
図７は、カビ成長抑制モードにおける対応判断手段４３の判断および処理を示すフロー図である。
カビの派生、成長は、６月であり、その増殖は湿度に大きく影響される。室内の湿度を７５％ＲＨ以下、望ましくは６０％ＲＨ以下に抑制すると、ほとんどのカビは増殖できない。
対応判断手段４３は、これらの発生情報をデータ格納手段４１から得て、それに基づいて次のように処理する。
対応判断手段４３は、カレンダ手段３７からの月日情報を得て、その日が６月であるかを判断する（Ｓ３１）。
【００４７】
その日が６月でない場合（ＮＯ）には、判断を終了する。
その日が６月である場合（ＹＥＳ）には、続いて室内湿度検出器２５で検出された室内湿度を得て、室内湿度が所定値、例えば、６０％ＲＨを超えているかを判断する（Ｓ３２）。
室内湿度が所定値を超えていない場合（ＮＯ）には、判断を終了する。
室内湿度が所定値を超えている場合（ＹＥＳ）には、対応判断手段４３はカビが発生、増殖する可能性があると判断し、運転制御手段４５に対して設定湿度を所定値以下にするように指令する。（Ｓ３３）
運転制御手段４５は、この指令に基づいて室内湿度が所定値以下となるように除湿運転を行うことになる。
このように、カビが増殖しやすい時期（６月）に増殖しにくい湿度環境とすることができるので、カビの発生、増殖を抑制することができる。
【００４８】
図８は、カビ胞子除去モードにおける対応判断手段４３の判断および処理を示すフロー図である。
カビ胞子は、カビの増殖が著しい７月に多く飛散する。
対応判断手段４３は、この発生情報をデータ格納手段４１から得て、それに基づいて次のように処理する。
対応判断手段４３は、カレンダ手段３７からの月日情報を得て、その日が７月であるかを判断する（Ｓ４１）。
その日が７月でない場合（ＮＯ）には、判断を終了する。
その日が７月である場合（ＹＥＳ）には、室内にカビ胞子が飛散する可能性があると判断し、運転制御手段４５に対して所定時間空清運転を行なうように指令する（Ｓ４２）。
運転制御手段４５は、この指令に基づいて空清運転を行うことになる。
【００４９】
このように、カビが増殖し易い時期に、室内湿度を制御してその増殖を抑制するので、室内がカビで汚染されることを防止できる。
また、カビが発生して胞子が飛散してもその飛散時期に併せて空清運転を行い除去することができる。
【００５０】
このように、本実施形態では、ダニアレルゲン、花粉およびカビ胞子の飛散時期（発生段階）に合わせて空清運転を実施するので、これらが室内に存在することをほとんど防止することができ、快適な室内環境を維持することができる。
また、ダニおよびカビの増殖時期にあわせて室内湿度を所定値以下になるように運転するので、アレルゲンの源となるダニおよびカビの増殖自体を抑制することができる。
これにより、空清運転による飛散するダニアレルゲン、花粉およびカビ胞子の除去と合わせて一層快適な室内環境を維持することができる。
【図面の簡単な説明】
【００５１】
【図１】本発明の一実施形態にかかる空気調和装置１の全体概略構成を示すブロック図である。
【図２】本発明の一実施形態にかかる制御部の概略構成を示すブロック図である。
【図３】本発明の一実施形態にかかるダニ成長抑制モードにおける対応判断手段の判断および処理を示すフロー図である。
【図４】本発明のダニアレルゲン除去モードにおける対応判断手段の判断および処理を示すフロー図である。
【図５】空気調和装置のダニアレルゲン除去効果を示すグラフである。
【図６】本発明の一実施形態にかかる花粉除去モードにおける対応判断手段の判断および処理を示すフロー図である。
【図７】本発明の一実施形態にかかるカビ成長抑制モードにおける対応判断手段の判断および処理を示すフロー図である。
【図８】本発明の一実施形態にかかるカビ胞子除去モードにおける対応判断手段の判断および処理を示すフロー図である。
【符号の説明】
【００５２】
１  空気調和装置
３  室外機
５  室内機
７  冷媒回路
９  制御部
１１  圧縮機
１７  室外熱交換器
１９  膨張弁
２７  室内熱交換器
２９  室内ファン
２３  外気温度検出器
３３  室内温度検出器
３５  室内湿度検出器
３７  カレンダ手段
３９  カウンタ手段
４１  データ格納手段
４３  対応判断手段
４５  運転制御手段
【図１】
2007101059.tif 000005
【図２】
2007101059.tif 000006
【図３】
2007101059.tif 000007
【図４】
2007101059.tif 000008
【図５】
2007101059.tif 000009
【図６】
2007101059.tif 000010
【図７】
2007101059.tif 000011
【図８】
2007101059.tif 000012